(57)【特許請求の範囲】
【請求項１】
金網イカダの金属部分とフレキシブルな電線を介して接続され、海中浸漬されて前記金網イカダの防食を行う金網イカダの防食装置であって、
耐食性導電材料で棒状に形成され、前記電線の一端と接続されて前記海水中に吊下される本体と、
定型サイズの板状に形成され、その板面に備えた前記本体の直径より僅かに大きい径の穴を介して前記本体に挿通される複数の亜鉛板と、
耐食性導電材料を用いて内径が前記本体の直径より僅かに大きい径のリング状に形成され、前記本体に挿通される前記亜鉛板間に介在されてその上下間隔を一定に保つスペーサと、
前記本体の下端には、前記本体に挿通された亜鉛板及びスペーサを下端で支持する支持部を備えたことを特徴とする金網イカダの防食装置。
【請求項２】
請求項１に記載の金網イカダの防食装置において、前記本体は二股に分岐され、前記亜鉛板の板面には前記本体に挿通すべく一対の穴が明けられていることを特徴とする金網イカダの防食装置。
【発明の詳細な説明】
【０００１】
【発明の属する技術分野】
本発明は、金網イカダとフレキシブルな電線を介して接続され、海中浸漬されて前記金網イカダの防食を行う金網イカダの防食装置に関する。
【０００２】
【従来の技術】
魚の養殖には、ポリエチレン製の樹脂網の他、金網製の金網イカダ（イケス）が多用されている。金網イカダには、電食による早期腐食を防止するため亜鉛メッキが施されている。しかし、亜鉛メッキされた金網イカダにあっては、２年もするとメッキが落ち、その後急速に金網本体が腐食する。
【０００３】
そこで、従来、新規に設定した金網イカダが１〜２年ほど経過し、亜鉛メッキが消耗する頃を見計らって棒状の亜鉛棒を取付けることが行なわれていた。これにより、金網イカダの電食を緩和し、その寿命を１年以上延長することができる。
【０００４】
従来の金網イカダの防食材は、１ｍ位の長い金属棒の回りに厚く亜鉛を被覆した構造で、１回限りの使い捨て部品として構成されていた。１台の金網イカダに対しては、コーナ部分とその中間を併せて８個の部品がセットで利用されるのが一般的である。金額的には、かなり高価なものであり、現在１本当り１万５千円程度で販売されている。この場合、８本セットでは１２万円となる。
【０００５】
ところが、以上の如く使用されている従来よりの金網イカダの防食材にあっては、使い捨て形となっているので、追加や交換が難しく、金網イカダの腐食状況に応じ、適切に対応するのが困難であった。
【０００６】
例えば、設置後１年の金網イカダに８本の腐食材を取付ける場合、全品とも新品を用いなければならず、前に別の所で使っていた中古品を取付けるのは、不可能ではないが難しい。使用途中で亜鉛消耗状況をチェックしなければならず、ともすると中古品の早目の消耗によって、その部分の金網を早目に腐食させてしまい、金網イカダに穴を明けてしまうからである。結局、中古品の再利用は難しく、廃棄処分せざるを得ず、無駄が多かった。
【０００７】
また、防食材の利用によって延命された金網について、更に延命すべく新たな防食材を取付けた場合、後の防食材の取付後、結局網が破れ、防食材が中古品として残ってしまうことが考えられる。この場合、当該中古品を再利用するのが８本同時セットでなければ難しいことになる。
【０００８】
その他、防食材の効き目は、金網イカダの状況によって異なる筈である。にも拘らず、従来は、通り一遍の知得によって従前通りの一様な利用を行い、無駄を出したり、亜鉛量の不足で金網イカダの寿命を短くしている。これらの事項は、本発明者が、実際の潜水作業を行って、防食効果を観察した上で得られた知得である。
【０００９】
【発明が解決しようとする課題】
本発明は、上記従来技術に鑑みて、防食材の本体部分を使い捨てとせず、これに規定サイズの亜鉛板を金網イカダの状況に応じ所望の量だけ追加、設定可能とし、常時十分な量の亜鉛量を提供可能とし、金網イカダの寿命を最大限に維持することができる金網イカダの防食装置を提供することを目的とする。
【００１０】
【課題を解決するための手段】
上記課題を解決するための本発明は、金網イカダの金属部分とフレキシブルな電線を介して接続され、海中浸漬されて前記金網イカダの防食を行う金網イカダの防食装置であって、
耐食性導電材料で棒状に形成され、前記電線の一端と接続されて前記海水中に吊下される本体と、
定型サイズの板状に形成され、その板面に備えた前記本体の直径より僅かに大きい径の穴を介して前記本体に挿通される複数の亜鉛板と、
耐食性導電材料を用いて内径が前記本体の直径より僅かに大きい径のリング状に形成され、前記本体に挿通される前記亜鉛板間に介在されてその上下間隔を一定に保つスペーサと、
前記本体の下端に位置し、前記本体に挿通された亜鉛板及びスペーサを下端で支持する支持部を備え、前記亜鉛板の交換及び追加や前記亜鉛の消耗度合に拘わらず常時全亜鉛板を自重で下方に圧縮する安定構造としたことを特徴とする。前記、本体は、例えば二股に分岐される。この場合、前記亜鉛板板面には前記本体に挿通すべく一対の穴が明けられる。
【００１１】
本発明の金網イカダの防食装置によれば、本体をステンレス鋼等の耐食性導電材料で形成するので、再利用が可能であり、長期繰り返しの利用ができて無駄が無い。
【００１２】
また、定形サイズの亜鉛板をスペーサを介して本体に挿通し、自重でもって支持部で支持する構造であるので、亜鉛板が消耗しても常時上下相互の密着を得ることができ、安定した防食効果を発揮できる。また、亜鉛板は予め設定した設定可能最大数の範囲で任意に設定、追加可能であるので、金網イカダの状況に応じ常時所要の量の亜鉛量を保持できる。さらに、亜鉛板の面積は、その数によって自由に調整できるので、比較的短く形成された本体棒の中で、大面積を確保することができる。
【００１３】
さらに、本体を二股に分岐し、これに一対の穴を明けた亜鉛板を挿通する場合、海流中で亜鉛板を安定して支持できる。また、一対の穴を明けた亜鉛板として、現在規格品として船底の電食防止として利用されている亜鉛板、又はその中古品をそのまま利用することができるので、使用済み亜鉛板の再利用によって資源を無駄なく利用することができる。
【００１４】
【発明の実施の形態】
以下、添付図面を参照して本発明の一実施形態に係る金網イカダの防食装置を説明する。図１は装置全体の縦断面図、図２及び図３はそれに用いる部品の斜視図である。
【００１５】
図１に示すように、本発明の一実施形態に係る金網イカダの防食装置１は、直径６〜１５ｍｍのステンレス鋼丸棒で形成される本体２を主体として構成される。本体２は、電線固定のための円形の固定部３と、接続部４と、該接続部４から二股に分岐された直線部５（５Ａ，５Ｂ）から成る。通常は、固定部３に後述する電線を固定した状態で海中に吊下されて使用される。直線部５の長さＨ１は、３０〜５０ｃｍ程度の長さに形成される。間隔は、５〜１０ｃｍ程度である。固定部３及び接続部４の長さＨ２を含めた全体長さＨ１＋Ｈ２は４０〜７０ｃｍ程度である。
【００１６】
前記接続部４の中間には、電線接続用の端子６を備えた端子台７を有する。本例の端子台７は、接続部４に設けた細孔に挿通されるボルトと、このボルトに螺合されるナットから成る。
【００１７】
前記直線部５Ａ，５Ｂの下端には、細孔が設けられ、この細孔に挿通されて支持部８を構成するボルト及びナットが設けられている。この支持部８は、ナット及びボルトを外した状態で亜鉛板９又はスペーサ１０を挿通可能とする。また、ボルトを挿通し、ナットを掛けた状態で、挿通した亜鉛板９又はスペーサ１０の脱落を防止し、吊下状態にて亜鉛板９及びスペーサ１０を支持することができる。
【００１８】
図２に示すように、亜鉛板９は、縦寸法Ｂ（５〜７ｃｍ）、横寸法Ａ（１０〜１５ｃｍ）、厚みＣ（１０〜２０ｍｍ）の定形サイズで亜鉛材で構成される。一対の穴１１Ａ，１１Ｂの間隔Ｐは５〜１０ｃｍ程度とする。穴１１Ａ，１１Ｂの寸法は、前記直線部５Ａ，５Ｂの直径より僅かに大きい値とする。前記直線部５Ａ，５Ｂの間隔は、この間隔Ｐに合わせる。船底電食防止に用いられている規格亜鉛材を用いる場合には、それに合わせた寸法とする。
【００１９】
図３に示すように、スペーサ１０は、内径を前記直線部５Ａ，５Ｂの直径より僅かに大きい値として定める。厚みＤは、上下に位置する亜鉛板９との接触を確実とするため、十分大きな値２〜５ｍｍ程度とする。高さＨ３は、図１で示した亜鉛板９，９間の間隔Ｈ４を適切な値５〜１０ｍｍとするために、適切な値１０〜１５ｍｍとする。亜鉛板９，９間の間隔Ｈ４と一致しないのは、図示のように規格亜鉛板９は、ボルト締結のための５ｍｍ程度の窪みを有するからである。
【００２０】
再度図１にいて、以上の構成により、本例の金網イカダの防食装置１は、支持部８を外した状態で、亜鉛板９及びスペーサ１０を順次所望の数だけ挿通し、支持部８を設定することにより、図示の状態とすることができる。亜鉛板の装着数は、従来の使い捨てタイプの防食材の亜鉛表面積を参考として、これ以上の表面積を有するよう定めることができる。
【００２１】
例えば、従来の使い捨てタイプの防食材の表面積が８００ｃｍ2 であるとすると、１枚当りの亜鉛板９の表面積が１６０ｃｍ2 の場合、５枚以上設定する。本例では最大７枚設定できるように寸法Ｈ１を定めている。
【００２２】
図４に示すように、フレキシブルな電線１２の上端導線部は、特殊金具１３の割溝の中に金網イカダの金網１５と共に締付けられて固定される。特殊金具１３に力を与えないため、前記電線１２の上端部は、金網イカダ１４の浮上部分に巻回し固定される。
【００２３】
前記電線１２の下端部は、前記防食装置１の固定部３に２重巻き等によって巻回し固定され、その先端導線部は、前記端子６にカシメ接合される。従って、本体２を電線１２によって吊下するも端子６部に力が加わることは無い。
【００２４】
図４に示した取付け方式により、防食装置１は、フレキシブルな電線１２を介して海中に吊下された状態となり、各亜鉛板９は、金網１５に対し、導通状態となる。但し、金網イカダ１４は海中広域に亘るものであり、金網１５部分によっては電位差を生じる。そのため、金網イカダの各コーナ及び中間部に合計８ケ所に図示の防食装置１を均等に吊下支持するものとする。この点、従来例と変わる所が無い。
【００２５】
本発明では、金網イカダ１４の防食を行う期間中、全防食装置１について、常時亜鉛板９を必要量以上に保つことができる。例えば、防食装置１を取付けて後半年後に、亜鉛板９の１部に消耗がある場合、電線１２をたぐって引上げ、支持部８を外して、新たに亜鉛板９を追加設定することができる。
【００２６】
従来は、使い捨てタイプの防食装置の消耗が相当激しくても新たに合計８本の単品タイプの防食装置を投入できず、そのまま寿命を待つしかできなかった。しかし、本案では、更なる延命を図るべく、亜鉛板９を任意に追加でき、防食作用を永続できる利点がある。
【００２７】
また、１つの金網イカダで用いた防食装置１を引き上げて、他の金網イカダにいつでも利用できる利点がある。即ち、本発明の防食装置１は、本体２を繰り返し利用可能としている。また、亜鉛板９を任意に追加可能としている。従って、新たに設置された金網イカダ１４に対し、常時最大効果をもって防食対応することができる。
【００２８】
さらに、金網イカダの状況に応じて、亜鉛板９の量を任意に増加できる利点がある。例えば、海流により亜鉛消耗量の激しい金網イカダに対しては多目の亜鉛板９を設定することができる。消耗亜鉛板９を捨てる必要も無い。適宜の追加をもって自然に離脱するまで利用でき、無駄が無い。
【００２９】
本発明の金網イカダの防食装置は、上記実施の形態に限定されるものでは無く本発明の要旨を逸脱しない範囲で、適宜設計的変更を加えて実施できる。また、本防食装置１は、金網イカダ１４以外の物、例えば金属製の舟や金属製の部品等の防食に利用できる。
【００３０】
【発明の効果】
以上の通り、本発明は、海中に吊下浸漬される耐食性導電材料で形成される棒状本体に常時所定面積以上の面積となるよう、任意に定形サイズの亜鉛板を装着可能とするので、本体部分を繰り返し永久的に利用でき、常時所要面積を確保して金網イカダ等の寿命を最大限まで延長できる。
【００３１】
本体部分は、所要面積の亜鉛板をスペーサを介して装着するものであるので、比較的コンパクトに短く構成でき、輸送その他の取扱いに便利である。
【００３２】
本体を二股に分岐し、これに一対の穴を明けた亜鉛板を挿通する場合、海流中で亜鉛板を安定して支持できる。また、一対の穴を明けた亜鉛板として、現在規格品として船底の電食防止材として利用されている亜鉛板、又はその中古品をそのまま利用することができる。
【図面の簡単な説明】
【図１】本発明の一実施形態に係る金網イカダの防食装置の縦断面図である。
【図２】本発明の一実施形態に係る金網イカダの防食装置に用いる亜鉛板の斜視図である。
【図３】本発明の一実施形態に係る金網イカダの防食装置に用いるスペーサの斜視図である。
【図４】金網イカダに対する防食装置の取付け方式を示す説明図である。
【符号の説明】
１  防食装置
２  本体
３  固定部
４  接続部
５Ａ，５Ｂ  直線部
６  端子
７  端子台
８  支持部
９  亜鉛板
１０  スペーサ
１１Ａ，１１Ｂ  穴
１２  電線
１３  特殊金具
１４  金網イカダ
１５  金網
Ａ  亜鉛板の縦寸法
Ｂ  亜鉛板の横寸法
Ｃ  亜鉛板の厚み
Ｄ  スペーサの厚み
Ｐ  穴及び直線部の間隔
Ｈ１  直線部の長さ
Ｈ２  固定部及び接続部の長さ
Ｈ３  スペーサの高さ
Ｈ４  亜鉛板の間隔
Ｈ５  亜鉛板１セットの間隔
【図１】
0003662890.tif 000002
【図２】
0003662890.tif 000003
【図３】
0003662890.tif 000004
【図４】
0003662890.tif 000005